(57)【特許請求の範囲】
【請求項１】
頂板(1)の周囲にコーナー部を挟んで隣り合う各一対の側板(2)及び端板(3)を連設し、側板(2)及び端板(3)を下方へ折り曲げ、側板(2)と端板(3)とを固定して容器の外周に沿わせ、容器を係合させてその抜け落ちを防止するマルチパックにおいて、前記側板(2)に側方へ延びる帯板部(8)を設け、この帯板部(8)の先端部分に下方へ向けて係止片(9)を突設すると共に、上方へ延びる当止片(10)を設け、端板(3)の下端に内折板(13)を連設して、端板(3)と内折板(13)との境界部分に係止穴(14)を設け、帯板部(8)を端板(3)の内側に重なるように曲げ、係止片(9)を係止穴(14)に差し込み、内折板(13)を内側上方へ折り曲げて、集積した容器の上部に被せた包装状態で、当止片(10)が頂板(1)の裏面に当接する位置を帯板部(8)の揺動限度として、係止片(9)の係止穴(14)からの抜け出しを防止することを特徴とする手詰めマルチパック。
【請求項２】
頂板(1)の周囲にコーナー部を挟んで隣り合う各一対の側板(2)及び端板(3)を連設し、側板(2)及び端板(3)を下方へ折り曲げ、側板(2)と端板(3)とを固定して容器の外周に沿わせ、容器を係合させてその抜け落ちを防止するマルチパックにおいて、前記側板(2)に側方へ延びる帯板部(8)を設け、この帯板部(8)の先端部分に下方へ向けて係止片(9)を突設し、また、帯板部(8)の下縁に凹部(11)を設け、端板(3)の下端に内折板(13)を連設して、端板(3)と内折板(13)との境界部分に係止穴(14)を設け、帯板部(8)を端板(3)の内側に重なるように曲げ、係止片(9)を係止穴(14)に差し込み、内折板(13)を内側上方へ折り曲げて、集積した容器の上部に被せた包装状態で、凹部(11)の側縁に端板(3)と内折板(13)の境界部の側縁が当接する位置を帯板部(8)の揺動限度として、係止片(9)の係止穴(14)からの抜け出しを防止することを特徴とする手詰めマルチパック。
【請求項３】
頂板(1)の周囲にコーナー部を挟んで隣り合う各一対の側板(2)及び端板(3)を連設し、側板(2)及び端板(3)を下方へ折り曲げ、側板(2)と端板(3)とを固定して容器の外周に沿わせ、容器を係合させてその抜け落ちを防止するマルチパックにおいて、前記側板(2)に側方へ延びる帯板部(8)を設け、この帯板部(8)の先端部分に下方へ向けて係止片(9)を突設し、端板(3)の下端に内折板(13)を連設して、端板(3)と内折板(13)との境界部分に係止穴(14)を設けると共に、係止穴(14)を形成する切込により舌片(15)を設け、帯板部(8)を端板(3)の内側に重なるように曲げ、係止片(9)を係止穴(14)に差し込み、内折板(13)を内側上方へ折り曲げて、集積した容器の上部に被せた包装状態で、端板(3)の下端から突出した舌片(15)が係止片(9)の外側に重なって、係止片(9)の押し上げによる係止穴(14)からの抜け出しを防止することを特徴とする手詰めマルチパック。
【請求項４】
前記側板(2)に下端から内側へ折り曲げる重合部材(16)を連設し、重合部材(16)には、側板(2)及び頂板(1)の内面にそれぞれ重なる内側板(17)及び内頂板(18)と、内頂板(18)の両端から延出されて端板(3)の内面に重なる内端板(19)と、対向する内端板(19)を繋ぎ両端部が内端板(19)に切り込まれた取手帯(20)とを設け、この取手帯(20)を頂板(1)の開口部(22)から引き出して、把持できるようにしたことを特徴とする請求項１乃至３のいずれかに記載の手詰めマルチパック。
【発明の詳細な説明】
【技術分野】
【０００１】
この発明は、複数本の飲料ボトル等の容器を纏めて持ち運べるようにするマルチパックに関するものである。
【背景技術】
【０００２】
従来、この種のマルチパックとして、下記特許文献１には、図１１に示すように、ボトルＢの首部が挿通される複数の容器保持穴５４を有する頂板５１の周囲に、コーナー部を挟んで隣り合う各一対の側板５２及び端板５３を連設し、側板５２及び端板５３を下方へ折り曲げて、端板５３の側方への延長部をボトルＢの外周に沿って湾曲させ、この延長部を側板５２に接着して、側板５２と端板５３とを固定し、容器保持穴５４の周縁に設けた抜止片５５でボトルＢの抜け落ちを防止する板紙製のものが記載されている。
【先行技術文献】
【特許文献】
【０００３】
【特許文献１】特表平８−５０９９４４号公報
【発明の概要】
【発明が解決しようとする課題】
【０００４】
ところで、店頭で配送用段ボール箱を開封し、１本ずつばらばらに大量陳列されたボトルを、複数本纏めて販売する場合、持ち運びの利便性を向上させ、レジでの精算の手間を軽減するため、これらのボトルを一単位として包装したいという要望がある。
【０００５】
しかしながら、上記のようなマルチパックでは、包装作業に接着を伴うことから、店頭で手作業により簡単に包装することができないという問題があった。
【０００６】
そこで、この発明は、複数本の容器を纏めて、手作業で簡単に包装できるようにすることを課題とする。
【課題を解決するための手段】
【０００７】
上記課題を解決するため、この発明は、頂板の周囲にコーナー部を挟んで隣り合う各一対の側板及び端板を連設し、側板及び端板を下方へ折り曲げ、側板と端板とを固定して容器の外周に沿わせ、容器を係合させてその抜け落ちを防止するマルチパックにおいて、前記側板に側方へ延びる帯板部を設け、この帯板部の先端部分に下方へ向けて係止片を突設し、端板の下端に内折板を連設して、端板と内折板との境界部分に係止穴を設け、帯板部を端板の内側に重なるように曲げ、係止片を係止穴に差し込み、内折板を内側上方へ折り曲げて、集積した容器の上部に被せるようにしたのである。
【０００８】
また、前記帯板部の先端部分に上方へ延びる当止片を設け、この当止片が頂板の裏面に当接する位置を帯板部の揺動限度として、係止片の係止穴からの抜け出しを防止することとしたのである。
【０００９】
また、前記帯板部の下縁に凹部を設け、この凹部の側縁に端板と内折板の境界部の側縁が当接する位置を帯板部の揺動限度として、係止片の係止穴からの抜け出しを防止することとしたのである。
【００１０】
さらに、前記係止穴を形成する切込の内側に、内折板の折り曲げに伴い、端板の下端から突出する舌片を設け、この舌片が係止片の外側に重なって、係止片の押し上げによる係止穴からの抜け出しを防止することとしたのである。
【００１１】
また、前記側板に下端から内側へ折り曲げる重合部材を連設し、重合部材には、側板及び頂板の内面にそれぞれ重なる内側板及び内頂板と、内頂板の両端から延出されて端板の内面に重なる内端板と、対向する内端板を繋ぎ両端部が内端板に切り込まれた取手帯とを設け、この取手帯を頂板の開口部から引き出して、把持できるようにしたのである。
【発明の効果】
【００１２】
この発明に係る手詰めマルチパックでは、側板の帯板部を容器の外周に沿わせ、係止片を係止穴に差し込んで、内折板を内側へ折り曲げるだけで、接着を伴うことなく、側板と端板とを係合させて固定できるので、複数本の容器を店頭で手作業により簡単に纏めて包装することができる。
【図面の簡単な説明】
【００１３】
【図１】この発明の第１実施形態に係る手詰めマルチパックのブランクを示す図
【図２】同上の組立過程を裏面側から示す斜視図
【図３】同上の組立過程を裏面側から示す斜視図
【図４】同上の組立状態を裏面側から示す斜視図
【図５】同上のボトルを纏めて包装した状態を示す斜視図
【図６】この発明の第２実施形態に係る手詰めマルチパックのブランクを示す図
【図７】同上の組立過程を裏面側から示す斜視図
【図８】同上の組立過程を裏面側から示す斜視図
【図９】同上の組立状態を裏面側から示す斜視図
【図１０】同上のボトルを纏めて包装した状態を示す斜視図
【図１１】従来のマルチパックによる包装状態を示す斜視図
【発明を実施するための形態】
【００１４】
まず、この発明の第１実施形態を図１乃至図５に基づいて説明する。
【００１５】
このマルチパックは、図１に示すような板紙製ブランクから形成される。このブランクでは、正方形の頂板１の周囲に、コーナー部を挟んで隣り合う各一対の側板２及び端板３がミシン目状の切目を有する折目線を介して連設されている。
【００１６】
頂板１には、各コーナー部の内側に、ボトルの首部が挿通される４個の容器保持穴４が設けられ、容器保持穴４の周囲には、抜止片５が設けられている。また、中央寄りに２個の指穴６が繋部付きの半円状の切目線を入れて設けられている。
【００１７】
側板２には、中間部にボトルの肩部に沿わせるための中折線７が入れられ、両側に側方へ延びる帯板部８が設けられている。帯板部８の先端部分には、組立時の下方へ向けて係止片９が突設されると共に、上方へ向けて当止片１０が延設されている。また、係止片９の内側縁に臨んで凹部１１が設けられている。
【００１８】
端板３には、中間部にボトルの肩部に沿わせるための中折線１２が入れられ、組立時に下端となる先端側に、内折板１３が折目線を介して連設されている。端板３と内折板１３との境界部分には、内折板１３へのコ字状の切込により係止穴１４が設けられ、その切込の内側に舌片１５が形成されている。
【００１９】
このブランクを組み立てて、店頭でボトルを包装する際には、図２に示すように、ブランクを裏向けた状態で、頂板１から各一対の側板２及び端板３を起こすように折り曲げ、図３に示すように、側板２を中折線７に沿って屈曲させつつ、帯板部８を端板３の内側に重なるように湾曲させ、係止片９を係止穴１４に差し込む。
【００２０】
次に、図４に示すように、内折板１３を内側へ折り曲げると、内折板１３が凹部１１に嵌合し、係止穴１４の内側の舌片１５が起き上がって端板３から突出すると共に、側板２の反発により、係止片９の外側縁が係止穴１４の両側縁に当接して、側板２と端板３との係合状態が維持される。
【００２１】
その後、図５に示すように、マルチパックを正転させ、端板３の下部を指で押さえながら、２本ずつ２列に集積した４本のボトルＢの上部に被せ、ボトルＢの首部を下方から上方へかけて容器保持穴４に挿通する。
【００２２】
これにより、容器保持穴４の周囲から抜止片５が起き上がり、その先端がボトルＢの首部に当接して、ボトルＢの抜け落ちが防止され、側板２及び端板３がボトルＢの肩部に沿って中折線７，１２で折れ曲がり、ボトルＢの上部外周を包囲する。また、帯板部８の先端部分が端板３と内折板１３とで挟持される。
【００２３】
このように、上記マルチパックでは、側板２の帯板部８をボトルＢの外周に沿わせ、係止片９を係止穴１４に差し込んで、内折板１３を内側へ折り曲げるだけで、接着を伴うことなく、側板２と端板３とを係合させて固定できるので、４本のボトルＢを店頭で手作業により簡単に纏めて包装することができる。
【００２４】
そして、これらの４本のボトルＢを一単位として店頭のレジで精算することにより、精算の手間を軽減でき、また、指穴６の切目線の内側を押し込んで、指穴６に指を入れることにより、容易に持ち運ぶことができる。
【００２５】
ここで、上記包装状態において、側板２が外側から押されると、帯板部８が揺動して係止片９が上昇し、係止穴１４から抜け出そうとするが、当止片１０が頂板１の裏面に当接し、また、端板３と内折板１３の境界部の側縁が凹部１１の側縁に当接して、帯板部８の揺動が規制されるので、係止片９の係止穴１４からの抜け出しが防止される。
【００２６】
また、端板３の下端から突出する舌片１５が係止片９の外側に重なるので、舌片１５の下端に指を掛けてマルチパックを持ち上げようとした場合等においても、係止片９の押し上げによる係止穴１４からの抜け出しが防止され、包装状態が維持される。
【００２７】
次に、この発明の第２実施形態を図６乃至図１０に基づいて説明する。なお、この実施形態では、上記第１実施形態と共通の部分についての説明は省略し、特徴的部分についてのみ言及する。
【００２８】
このマルチパックは、図６に示すような板紙製のブランクから組み立てられる。このブランクでは、一対の側板２に、中折線７の位置から重合部材１６がそれぞれ連設されている。重合部材１６には、側板２との境界から内側板１７及び内頂板１８が順次連設され、内頂板１８の両端に内端板１９が連設されると共に、対向する内端板１９を繋ぎ両端部が内端板１９に切り込まれた取手帯２０が設けられている。
【００２９】
頂板１の中間部には、繋部付きの切目線に囲まれた把持片２１が設けられ、その周囲の切目線により開口部２２が形成されるようになっている。把持片２１の両側部は、取手帯２０の両側縁に対応するミシン目状の折目線から弧状に膨出している。この膨出部分に対応して、内頂板１８は、取手帯２０の側縁から弧状縁をなすように切り抜かれている。
【００３０】
このようなブランクを組み立てる際には、図７に示すように、ブランクを裏向けた状態で、重合部材１６を内側へ折り曲げ、図８及び図９に示すように、一対の重合部材１６の取手帯２０を重ねて貼り合わせ、第１実施形態のものと同様に組み立てる。このとき、把持片２１を頂板１から切り取り、開口部２２から露出した取手帯２０の表面に把持片２１を貼り付け、取手帯２０を抱き込むように把持片２１の両側部を折り曲げておく。
【００３１】
そして、図１０に示すように、マルチパックを正転させ、４本のボトルＢを纏めて包装すると、開口部２２の弧状部分に手を入れて、取手帯２０を開口部２２から引き出し、把持片２１を把持することにより、ボトルＢを容易に持ち運ぶことができる。
【００３２】
このとき、荷重の作用に伴い、取手帯２０の両端部が内側へ傾き、取手帯２０を上方へ大きく引き出すことができるので、把持片２１を握りやすくなる。
【００３３】
また、重なり合った取手帯２０を把持片２１の貼付により補強しているので、取手帯２０が千切れることなく大きな荷重に耐えることができ、取手帯２０の両側縁を把持片２１で覆っているので、手が痛くなることもない。
【００３４】
また、把持片２１は、頂板１の開口部２２をなす切抜部分を利用しているので、材料の使用量が増加することもない。
【００３５】
なお、上記各実施形態では、４本のボトルＢを保持するものを例示したが、頂板１等を拡大して、６本以上の偶数本のボトルＢを保持できるようにしてもよい。
【００３６】
また、ボトルＢに替えて、缶を保持するものとしてもよい。この場合、側板２及び端板３の少なくとも一方の上部に、缶のフランジが係合するスリット状の容器保持穴を設けることにより、缶の抜け落ちを防止すればよい。
【符号の説明】
【００３７】
１  頂板
２  側板
３  端板
４  容器保持穴
５  抜止片
６  指穴
７  中折線
８  帯板部
９  係止片
１０  当止片
１１  凹部
１２  中折線
１３  内折板
１４  係止穴
１５  舌片
１６  重合部材
１７  内側板
１８  内頂板
１９  内端板
２０  取手帯
２１  把持片
２２  開口部
Ｂ  ボトル
【図１】
0005586510.tif 000002
【図２】
0005586510.tif 000003
【図３】
0005586510.tif 000004
【図４】
0005586510.tif 000005
【図５】
0005586510.tif 000006
【図６】
0005586510.tif 000007
【図７】
0005586510.tif 000008
【図８】
0005586510.tif 000009
【図９】
0005586510.tif 000010
【図１０】
0005586510.tif 000011
【図１１】
0005586510.tif 000012